(57)【要約】【課題】経済的であって、極めて容易に装着でき、さらには、クールビズ対策に適合する吊下げ式簡易ネクタイを提供すること。【解決手段】衿付きシャツＳにノーマルネクタイを着用した際、ネクタイ結び目から下方に垂下するネクタイ表装側部分の長さ寸法に対応する長さ寸法を有する吊下げ式簡易ネクタイ本体１を主体とするものであって、前記衿付きシャツにおける台衿部分１２近傍と前記吊下げ式簡易ネクタイ本体における上端側部分２近傍との間に係着手段３を設けてなることを特徴とする吊下げ式簡易ネクタイ。【選択図】図１
0003121222.tif 000002
【実用新案登録請求の範囲】
【請求項１】
衿付きシャツにノーマルネクタイを着用した際、ネクタイ結び目から下方に垂下するネクタイ表装側部分の長さ寸法に対応する長さ寸法を有する吊下げ式簡易ネクタイ本体を主体とするものであって、前記衿付きシャツにおける台衿部分近傍と前記吊下げ式簡易ネクタイ本体における上端側部分近傍との間に係着手段を設けてなることを特徴とする吊下げ式簡易ネクタイ。
【請求項２】
前記係着手段が、前記衿付きシャツにおける第１ボタンのボタンホールと、前記吊下げ式簡易ネクタイ本体の上端側裏面に設けたボタンとからなり、前記衿付きシャツの第１ボタンを外した状態で、前記第１ボタンのボタンホールに、前記吊下げ式簡易ネクタイ本体に設けたボタンを掛け止めて着用するようにしたことを特徴とする請求項１に記載の吊下げ式簡易ネクタイ。
【請求項３】
前記係着手段が、前記衿付きシャツにおける衿台と、前記吊下げ式簡易ネクタイ本体の上端側裏面との間に設けたホック対でなることを特徴とする請求項１あるいは請求項２に記載の吊下げ式簡易ネクタイ。
【請求項４】
前記係着手段が、前記衿付きシャツにおける衿台と、前記吊下げ式簡易ネクタイ本体の上端側裏面との間に設けたベルベット式ファスナー対でなることを特徴とする請求項１あるいは請求項２に記載の吊下げ式簡易ネクタイ。
【考案の詳細な説明】
【技術分野】
【０００１】
この考案は、衿付きシャツの着用時に、衿元部分から吊下げるようにして着用する吊下げ式簡易ネクタイに関するものであり、特に、吊下げ式簡易ネクタイ本体を主体とし、衿付きシャツの第１ボタンを外した状態で、該第１ボタンのボタンホールに、吊下げ式簡易ネクタイ本体に設けたボタンを掛け止めて着用するようにした吊下げ式簡易ネクタイに関するものである。
【背景技術】
【０００２】
周知のように、衿付きシャツの着用時には、ネクタイを着用することが極一般的である。従来のノーマルネクタイは、バイアス取りしたネクタイ生地により縫着形成したものであり、大剣部分と小剣部分とをネクタイ結び目形成部分の両端側に一体的に備えたものからなっている。
【０００３】
この従来のノーマルネクタイは、見掛け以上の生地が必要とするものであって、経済的に極めて不利であるという点、着用に際して、ネクタイの結びが煩雑である点などの問題点を有している。さらには、従来のノーマルネクタイは、衿元を完全に閉じるようにネクタイ結びをして着用するものであって、特に、夏場における着用時には暑さ対策に苦慮しており、近年提唱されているクールビズに伴い、ノーマルネクタイの着用が敬遠されてきいる。
【考案の開示】
【考案が解決しようとする課題】
【０００４】
そこで、この考案は、上記するような従来のノーマルネクタイにおいて指摘されてきている幾つかの問題点を一挙に解決するものであり、経済的であって、極めて容易に装着でき、さらには、クールビズ対策に適合する吊下げ式簡易ネクタイを提供することにある。
【課題を解決するための手段】
【０００５】
この考案は、上記する目的を達成するにあたって、請求項１に記載の考案は、衿付きシャツにノーマルネクタイを着用した際、ネクタイ結び目から下方に垂下するネクタイ表装側部分の長さ寸法に対応する長さ寸法を有する吊下げ式簡易ネクタイ本体を主体とするものであって、前記衿付きシャツにおける台衿部分近傍と前記吊下げ式簡易ネクタイ本体における上端側部分近傍との間に係着手段を設けてなることを特徴とする吊下げ式簡易ネクタイを構成するものである。
【０００６】
さらに、この考案において請求項２に記載の考案は、請求項１に記載の吊下げ式簡易ネクタイであって、前記係着手段が、前記衿付きシャツにおける第１ボタンのボタンホールと、前記吊下げ式簡易ネクタイ本体の上端側裏面に設けたボタンとからなり、前記衿付きシャツの第１ボタンを外した状態で、前記第１ボタンのボタンホールに、前記吊下げ式簡易ネクタイ本体に設けたボタンを掛け止めて着用するようにしたことを特徴とするものである。
【０００７】
さらにまた、この考案において請求項３に記載の考案は、請求項１あるいは請求項２に記載の吊下げ式簡易ネクタイであって、前記係着手段が、前記衿付きシャツにおける衿台と、前記吊下げ式簡易ネクタイ本体の上端側裏面との間に設けたホック対でなることを特徴とするものでもある。
【０００８】
さらにまた、この考案において請求項４に記載の考案は、請求項１あるいは請求項２に記載の吊下げ式簡易ネクタイであって、前記係着手段が、前記衿付きシャツにおける衿台と、前記吊下げ式簡易ネクタイ本体の上端側裏面との間に設けたベルベット式ファスナー対でなることを特徴とするものでもある。
【考案の効果】
【０００９】
この考案になる吊下げ式簡易ネクタイは、衿付きシャツにノーマルネクタイを着用した際、ネクタイ結び目から下方に垂下するネクタイ表装側部分の長さ寸法に対応する長さ寸法を有する吊下げ式簡易ネクタイ本体を主体として構成されるものであり、従来のノーマルネクタイに比べて使用する生地の量が少なく、経済的に極めて有利である。
【００１０】
さらに、この考案になる吊下げ式簡易ネクタイは、衿付きシャツにおける台衿部分近傍と吊下げ式簡易ネクタイ本体における上端側部分近傍との間に設けた係着手段の掛け止めによって着用するものであり、従来のノーマルネクタイのようにネクタイ結びを必要とせず、極め容易に着用することができる点において、極めて有効に作用するものといえる。
【００１１】
さらにまた、この考案になる吊下げ式簡易ネクタイは、係着手段を、衿付きシャツにおける第１ボタンのボタンホールと、吊下げ式簡易ネクタイ本体の上端側裏面に設けたボタンとにより構成しておくと、衿付きシャツの第１ボタンを外した状態で、第１ボタンのボタンホールに、吊下げ式簡易ネクタイ本体に設けたボタンを掛け止めて着用することができ、クールビズ対策に適合するという点においても極めて有効に作用するものといえる。
【考案を実施するための最良の形態】
【００１２】
以下、この考案になる吊下げ式簡易ネクタイについて、図面に示す具体的な実施例に基づいて詳細に説明する。図１は、この考案になる吊下げ式簡易ネクタイの具体的な一実施例を示すものであって、図１Ａは、衿付きシャツの第１ボタンを外した状態を示す概略的な部分破断図であり、図１Ｂは、これに着用される吊下げ式簡易ネクタイの概略的な部分破断図である。図２は、当該吊下げ式簡易ネクタイを着用している状態を示す概略的な部分破断図である。
【００１３】
この考案になる吊下げ式簡易ネクタイＮは、その一例として、図１に示すような衿付きシャツＳに対して効果的に適用されるものである。この衿付きシャツＳは、従来の典型的なワイシャツあるいはカラーシャツであり、衿１１および台衿１２を備え、該台衿１２の部分あるいはその近傍に、第１ボタン１３を構成するボタン１４と、ボタンホール１５を有するものからなっている。
【００１４】
この考案になる吊下げ式簡易ネクタイＮは、衿付きシャツＳにノーマルネクタイ（図示せず）を着用した際、ネクタイ結び目から下方に垂下するネクタイ表装側部分の長さ寸法に対応する長さ寸法を有する吊下げ式簡易ネクタイ本体１を主体とするものであって、前記衿付きシャツＳにおける台衿部分１２近傍と前記吊下げ式簡易ネクタイ本体１における上端側部分近傍２との間に係着手段３を設けたものからなっている。
【００１５】
この考案において、最も好ましい実施例によれば、前記係着手段３は、前記衿付きシャツＳにおける第１ボタン１３のボタンホール１５と、前記吊下げ式簡易ネクタイ本体１の上端側裏面２ａに設けたボタン４とからなっており、前記衿付きシャツＳの第１ボタン１３を外した状態で、前記第１ボタン１３のボタンホール１５に、前記吊下げ式簡易ネクタイ本体１に設けたボタン４を掛け止めて着用するように構成してある。
【００１６】
この考案において、前記係着手段３は、前記衿付きシャツＳにおける衿台１２と、前記吊下げ式簡易ネクタイ本体１の上端側裏面２ａとの間に設けたホック対（図示せず）であってもよいし、さらに、前記係着手段３は、前記衿付きシャツＳにおける衿台１２と、前記吊下げ式簡易ネクタイ本体１の上端側裏面２ａとの間に設けたベルベット式ファスナー対（図示せず）であってもよい。
【００１７】
さらに、この考案において、前記吊下げ式簡易ネクタイ本体１は、その好ましい例において、ネクタイ用に仕立てたバイアス生地を縫着形成したものであり、その正面視形状は、何ら限定されるものではなく、所望の長さを有する短冊形状のものであってもよいし、あるいは、従来のネクタイのような大剣形状のものであってもよい。
【００１８】
さらに、この考案になる吊下げ式簡易ネクタイＮは、前記係着手段３を介して前記吊下げ式簡易ネクタイ本体１を掛け止めて着用する際、当該吊下げ式簡易ネクタイ本体１の中間部から下端部がぶらつかないようにするための止め手段２０が設けてある。この止め手段２０は、一例において、ネクタイピンのようなクリップによるものであってもよい。この場合、前記クリップの一片は、吊下げ式簡易ネクタイ本体１の表面側に出るもの、あるいは、該吊下げ式簡易ネクタイ本体１の裏面側に設けた差込み部に差し込むようにしたものであってもよい。
【００１９】
前記止め手段２０は、他の例において、衿付きシャツＳにおける第２ボタン１６、第３ボタン１８、あるいは、第４ボタン（図示せず）を利用して、それらのボタン１７、１９をボタンホールに掛けた状態で、吊下げ式簡易ネクタイ本体１における裏面側のそれぞれ対応する部位に設けたボタンホール（図示せず）に上記ボタンを掛け止めるように構成したものであってもよい。
【図面の簡単な説明】
【００２０】
【図１】図１は、この考案になる吊下げ式簡易ネクタイの具体的な一実施例を示すものであって、図１Ａは、衿付きシャツの第１ボタンを外した状態を示す概略的な部分破断図であり、図１Ｂは、これに着用される吊下げ式簡易ネクタイの概略的な部分破断図である。
【図２】図２は、当該吊下げ式簡易ネクタイを着用している状態を示す概略的な部分破断図である。
【符号の説明】
【００２１】
Ｎ  吊下げ式簡易ネクタイ
１  吊下げ式簡易ネクタイ本体
２  上端側部分近傍
２ａ  上端側裏面
３  係着手段
４  吊下げ式簡易ネクタイ本体に設けたボタン
Ｓ  衿付きシャツ
１１  衿
１２  台衿
１３  第１ボタン
１４  ボタン
１５  ボタンホール
１６  第２ボタン
１８  第３ボタン
２０  止め手段
【図１】
0003121222.tif 000003
【図２】
0003121222.tif 000004